(57)【要約】【課題】  この発明は、コンテンツ関連データの取得が容易なコンテンツ再生装置を提供することを目的とする。【解決手段】  記憶媒体に記憶されたコンテンツに関連するデータを記憶し、無線通信手段を備えるコンテンツ関連データ記憶手段と、無線通信手段を備え、コンテンツ関連データ記憶手段と無線通信を行って前記コンテンツに関連するデータを取得するコンテンツ関連データ取得手段と、取得されたコンテンツに関連するデータを表示用に加工して出力するコンテンツ関連データ出力手段とを備えるように構成する。【選択図】  図５
2005310334.tif 000002
【特許請求の範囲】
【請求項１】
記憶媒体に記憶されたコンテンツを再生信号に変換して出力するコンテンツ再生装置において、
記憶媒体を保持する記憶媒体保持部と、
前記記憶媒体保持部に保持された記憶媒体に記憶されたコンテンツを再生信号に変換して出力する再生信号出力部と、
前記記憶媒体に記憶されたコンテンツに関連するデータを記憶し、前記記憶媒体と実質的に一体に装着され、無線通信手段を備えるコンテンツ関連データ記憶手段と、
無線通信手段を備え、前記コンテンツ関連データ記憶手段と無線通信を行って前記コンテンツに関連するデータを取得するコンテンツ関連データ取得手段と、
前記取得されたコンテンツに関連するデータを表示用に加工して出力するコンテンツ関連データ出力手段とを備えることを特徴とするコンテンツ再生装置。
【請求項２】
記憶媒体に記憶されたコンテンツを再生信号に変換して出力するコンテンツ再生装置において、
記憶媒体を保持する記憶媒体保持部と、
前記記憶媒体保持部に保持された記憶媒体に記憶されたコンテンツを再生信号に変換して出力する再生信号出力部と、
前記記憶媒体に記憶されたコンテンツに関連するデータを記憶し、前記記憶媒体と実質的に一体に装着され、無線通信手段を備えるコンテンツ関連データ記憶手段と、
無線通信手段を備え、前記コンテンツ関連データ記憶手段と無線通信を行って前記コンテンツに関連するデータを取得するコンテンツ関連データ取得手段と、
前記取得されたコンテンツに関連するデータを表示用に加工して出力するコンテンツ関連データ出力手段と、
前記コンテンツ関連データ出力手段から出力された表示用に加工されたコンテンツに関連するデータを受信し表示部へ表示する表示手段とを備えることを特徴とするコンテンツ再生装置。
【請求項３】
記憶媒体に記憶されたコンテンツを再生信号に変換して出力するコンテンツ再生装置において、
記憶媒体を保持する記憶媒体保持部と、
前記記憶媒体保持部に保持された記憶媒体に記憶されたコンテンツを再生信号に変換して出力する再生信号出力部と、
前記記憶媒体に記憶されたコンテンツに関連するデータを記憶し、前記記憶媒体と実質的に一体に装着され、無線通信手段を備えるコンテンツ関連データ記憶手段と、
外部から送信されるデータ書換信号を受信するデータ書換信号受信手段と、
前記受信されたデータ書換信号に基づいて前記コンテンツ関連データ記憶手段に記憶されたコンテンツに関連するデータの書換を行うコンテンツ関連データ書換手段と、
無線通信手段を備え、前記コンテンツ関連データ記憶手段と無線通信を行って前記書換が行われたコンテンツに関連するデータを取得するコンテンツ関連データ取得手段と、
前記取得されたコンテンツに関連するデータを表示用に加工して出力するコンテンツ関連データ出力手段とを備えることを特徴とするコンテンツ再生装置。
【請求項４】
記憶媒体に記憶されたコンテンツを再生信号に変換して出力するコンテンツ再生装置において、
記憶媒体を保持する記憶媒体保持部と、
前記記憶媒体保持部に保持された記憶媒体に記憶されたコンテンツを再生信号に変換して出力する再生信号出力部と、
前記記憶媒体に記憶されたコンテンツに関連するデータを記憶し、前記記憶媒体と実質的に一体に装着され、無線通信手段を備えるコンテンツ関連データ記憶手段と、
外部から送信されるデータ書換信号を受信するデータ書換信号受信手段と、
前記受信されたデータ書換信号に基づいて前記コンテンツ関連データ記憶手段に記憶されたコンテンツに関連するデータの書換を行うコンテンツ関連データ書換手段と、
無線通信手段を備え、前記コンテンツ関連データ記憶手段と無線通信を行って前記書換が行われたコンテンツに関連するデータを取得するコンテンツ関連データ取得手段と、
前記取得されたコンテンツに関連するデータを表示用に加工して出力するコンテンツ関連データ出力手段と、
前記コンテンツ関連データ出力手段から出力された表示用に加工されたコンテンツに関連するデータを受信し表示部へ表示する表示手段とを備えることを特徴とするコンテンツ再生装置。
【請求項５】
記憶媒体に記憶されたコンテンツを再生信号に変換して出力するコンテンツ再生方法において、
記憶媒体に記憶されたコンテンツに関連するデータを記憶し、記憶媒体と実質的に一体に装着され、無線通信手段を備えるコンテンツ関連データ記憶手段と無線通信を行うステップと、
前記コンテンツに関連するデータを取得するステップと、
前記取得されたコンテンツに関連するデータを表示用に加工して出力するステップとを備えることを特徴とするコンテンツ再生方法。
【請求項６】
記憶媒体に記憶されたコンテンツを再生信号に変換して出力するコンテンツ再生方法において、
記憶媒体に記憶されたコンテンツに関連するデータを記憶し、記憶媒体と実質的に一体に装着され、無線通信手段を備えるコンテンツ関連データ記憶手段と無線通信を行うステップと、
前記コンテンツに関連するデータを取得するステップと、
外部から送信されるデータ書換信号を受信するステップと、
前記受信されたデータ書換信号に基づいて前記コンテンツ関連データ記憶手段に記憶されたコンテンツに関連するデータの書換を行うステップと、
無線通信手段を備え、前記コンテンツ関連データ記憶手段と無線通信を行って前記書換が行われたコンテンツに関連するデータを取得するステップと、
前記取得されたコンテンツに関連するデータを表示用に加工して出力するステップとを備えることを特徴とするコンテンツ再生方法。
【発明の詳細な説明】
【技術分野】
【０００１】
この発明は記憶媒体に記憶されたコンテンツを再生するコンテンツ再生装置に係り、特にコンテンツに関連するデータを表示用に加工して出力するコンテンツ再生装置に関する。
【背景技術】
【０００２】
近年、ＴＶ放送やラジオ放送、あるいは他の情報ソースからコンテンツを取得し、記録媒体に記録して再生することが広く行われている。
【０００３】
特許文献１には、この記録媒体に記録されたデータを効率よく管理するために、記録媒体と一体に設けられたICチップを用いて、コンテンツを記録するための磁気テープに記録されたデータのタイトル、テープ上の記録開始位置、記録終了位置、記録日時、および記録されているデータの種類に関する情報等を読み出し、磁気テープ３１に記録されたデータのリストを作成し、ユーザによって指定されたデータの磁気テープ上の記録開始位置を、メカ制御マイコンに供給してコンテンツの再生を管理する技術が開示されている。しかしながら、この特許文献１ではICチップからの情報の取得に関し、充分な開示がなされておらず、製品に応用する上では充分ではなかった。
【特許文献１】特開２００３−９１９７１号公報
【発明の開示】
【発明が解決しようとする課題】
【０００４】
そこで、この発明は上記事情を考慮してなされたもので、記録媒体と実質的に一体に設けられたコンテンツ関連データ記憶手段（例えばICチップ）からの情報取得が容易なコンテンツ再生装置を提供することを目的とする。
【課題を解決するための手段】
【０００５】
この発明に係る放送受信装置は、記憶媒体を保持する記憶媒体保持部と、前記記憶媒体保持部に保持された記憶媒体に記憶されたコンテンツを再生信号に変換して出力する再生信号出力部と、前記記憶媒体に記憶されたコンテンツに関連するデータを記憶し、前記記憶媒体と実質的に一体に装着され、無線通信手段を備えるコンテンツ関連データ記憶手段と、無線通信手段を備え、前記コンテンツ関連データ記憶手段と無線通信を行って前記コンテンツに関連するデータを取得するコンテンツ関連データ取得手段と、前記取得されたコンテンツに関連するデータを表示用に加工して出力するコンテンツ関連データ出力手段とを備えるように構成したものである。
【０００６】
またこの発明に係る放送受信方法は、記憶媒体に記憶されたコンテンツに関連するデータを記憶し、記憶媒体と実質的に一体に装着され、無線通信手段を備えるコンテンツ関連データ記憶手段と無線通信を行うステップと、前記コンテンツに関連するデータを取得するステップと、前記取得されたコンテンツに関連するデータを表示用に加工して出力するステップとを備えるように構成したものである。
【発明の効果】
【０００７】
上記のように構成することによって、記録媒体と実質的に一体に設けられたコンテンツ関連データ記憶手段（例えばICチップ）からの情報取得が容易なコンテンツ再生装置を提供することが可能となる。
【発明を実施するための最良の形態】
【０００８】
以下、図面を参照してこの発明の実施の形態を説明する。
【０００９】
図１はこの発明の実施の形態を示すもので、コンテンツ再生装置の概略を示す図である。
【００１０】
符号１０はリモコン、２０はディスプレー（表示装置）、３０はコンテンツ再生装置、３１はリライト装置（コンテンツ関連データ読取書込手段）、３２は記憶媒体保持部である。
【００１１】
コンテンツ再生装置３０は次に説明する記憶媒体が装着される。コンテンツ再生装置３０に設けられたリライト装置（コンテンツ関連データ読取書込手段）３１は記憶媒体と実質的に一体に設けられる無線ＩＣ（コンテンツ関連データ記憶手段）と無線通信を行って記憶媒体に記憶されたコンテンツに関するコンテンツ関連データを取得する。コンテンツ再生装置３０はディスプレー（表示装置）２０と接続されている。ディスプレー（表示装置）２０は液晶表示装置やＰＤＰ（プラズマディスプレーパネル）、ブラウン管等の表示装置を備えている。
【００１２】
ここでは、コンテンツ再生装置３０に設けられたリライト装置（コンテンツ関連データ読取書込手段）３１で取得されたコンテンツ関連データは表示用に加工されてディスプレー（表示装置）２０へ出力され、表示される。
【００１３】
ここでは、コンテンツ関連データは録画情報であり、例えば、録画日時、録画チャンネル、ジャンル、保護、著作権情報、録画品質、タイトル、番組説明、メディア名、フォルダ数、フォルダ名、タイトル数、録再機名、録画数メディア残容量、録画時間、等の情報である。
【００１４】
コンテンツ再生装置３０はユーザにリモコン１０で制御される。
【００１５】
無線通信はここでは無線ＬＡＮを用いるが、この発明はこれに限られるものではなく、いわゆる無線（ワイヤレス）で上記通信が行われればよい。
【００１６】
図２はこの発明の実施の形態を示すもので、コンテンツ再生装置に装着される記憶媒体の概略を示す図である。
【００１７】
符号４０は記憶媒体である。記憶媒体４０は例えば、フロッピー（Ｒ）ディスクや携帯型ＨＤＤ等の磁気記録装置、カセットテープレコーダ、半導体メモリ、ＤＶＤ等の携帯型の記憶媒体である。記憶媒体４０には実質的に、無線ＩＣ（コンテンツ関連データ記憶手段）が一体に設けられている。無線ＩＣ（コンテンツ関連データ記憶手段）の詳細は後述する。
【００１８】
図３はこの発明の実施の形態を示すもので、コンテンツ関連データが表示部または表示装置に表示されるようすを示す図である。
【００１９】
無線ＩＣ（コンテンツ関連データ記憶手段）には記憶媒体４０に記憶されたコンテンツに関するデータ（コンテンツ関連データ）が記憶されており、このコンテンツ関連データが表示用に加工されてディスプレー（表示装置）２０または後述する表示部へ表示される。
【００２０】
図４はこの発明の、他の実施の形態を示すもので、コンテンツ再生装置の概略を示す図である。図１と同じ構成については同一の符号を付して説明を省略する。
【００２１】
図４は図１に比して、表示部３３がさらに設けられている。表示部３３は液晶表示装置等の表示装置で構成される。表示部３３では、上記ディスプレー（表示装置）２０と同様に、リライト装置（コンテンツ関連データ読取書込手段）３１で取得されたコンテンツ関連データが表示用に加工されて出力されたデータが受信され、表示される。
【００２２】
図５はこの発明の実施の形態を示すもので、コンテンツ再生装置および表示装置の構成を説明するブロック図である。上記と同じ構成については同一の符号を付して説明を省略する。
【００２３】
符号３４はＣＰＵ（コンテンツ関連データ取得手段）、符号３５はリモコン信号受信部（データ書換信号受信手段）、符号４１は無線ＩＣ（コンテンツ関連データ記憶手段）である。
【００２４】
コンテンツ再生装置３０には記憶媒体４０が装着される。記憶媒体４０には上記のようにコンテンツ関連データが記憶された無線ＩＣ（コンテンツ関連データ記憶手段）４１が記憶媒体４０と実質的に一体に設けられる。
【００２５】
また、コンテンツ再生装置３０にはリライト装置（コンテンツ関連データ読取書込手段）３１が構成される。リライト装置（コンテンツ関連データ読取書込手段）３１にはＣＰＵ（コンテンツ関連データ取得手段）３４が構成されており、後述するように、リライト装置（コンテンツ関連データ読取書込手段）３１は、無線ＩＣ（コンテンツ関連データ記憶手段）４１とリライト装置（コンテンツ関連データ読取書込手段）３１の無線通信によって、無線ＩＣ（コンテンツ関連データ記憶手段）４１に記憶されたコンテンツ関連データを取得し、出力する。
【００２６】
すなわち、コンテンツ再生装置３０に記憶媒体４０が挿入され、記憶媒体保持部３２に保持される。記憶媒体保持部３２に保持された記憶媒体４０に記憶されたコンテンツは再生信号に変換され、表示装置２０へ向けて出力される（再生信号出力部）。
【００２７】
また、無線ＩＣ（コンテンツ関連データ記憶手段）４１は、実質的に記憶媒体４０と一体に装着されている。無線ＩＣ（コンテンツ関連データ記憶手段）４１は、後述するように、無線通信手段を備えている。リライト装置３１は、無線ＩＣ（コンテンツ関連データ記憶手段）４１と無線通信を行って、記憶媒体４０に記憶されたコンテンツに関連するデータを取得する。そして、この取得されたコンテンツに関連するデータを表示用に加工して表示装置２０または表示部３３へ向けて出力する。
【００２８】
無線ＩＣ（コンテンツ関連データ記憶手段）４１に記憶されたコンテンツ関連データの書換は以下のように行われる。
【００２９】
すなわち、コンテンツ再生装置３０の外部に設けられたリモコン１０がユーザによって操作され、リモコン１０からデータ書換信号がコンテンツ再生装置３０へ向けて送信される。このデータ書換信号はリモコン信号受信部（データ書換信号受信手段）３５で受信される。
【００３０】
リライト装置３１にはリモコン信号受信部（データ書換信号受信手段）３５で受信されたデータ書換信号が送信される。リライト装置３４は無線通信手段を備えており、このデータ書換信号に基づいて、無線ＩＣ（コンテンツ関連データ記憶手段）４１と無線通信を行い、無線ＩＣ（コンテンツ関連データ記憶手段）４１に記憶されたコンテンツに関連するデータの書換を行う（コンテンツ関連データ書換手段）。
【００３１】
リライト装置３１は、この書換が行われたコンテンツに関連するデータについても上記と同様に、コンテンツ関連データ記憶手段と無線通信を行って取得する（コンテンツ関連データ取得手段）。そして、この取得された書換が行われたコンテンツに関連するデータも同様に、表示用に加工して表示装置２０または表示部３３へ向けて出力する。
【００３２】
図６はこの発明の実施の形態を示すもので、コンテンツ関連データ記憶手段（無線ＩＣ）４１の構成を説明する図である。
【００３３】
図に示すように、無線ＩＣ（コンテンツ関連データ記憶手段）４１は、上記コンテンツ関連データが記憶されるＩＣチップ及び上記リライト装置３４と無線通信を行うためのアンテナを備えている。
【００３４】
図７はこの発明の実施の形態を示すもので、コンテンツ関連データ出力手段（リライト装置）の構成を説明する図である。
【００３５】
図に示すように、リライト装置（コンテンツ関連データ読取書込手段）３４はコントローラ（ＣＰＵ３１）及び上記無線ＩＣ４１と通信を行うためのアンテナを備えている。
【００３６】
図８はこの発明の実施の形態を示すもので、コンテンツ関連データ出力手段（リライト装置３１）内のコントローラ（ＣＰＵ３４）の主な制御動作を示すフローチャートである。
【００３７】
ここでは、記憶媒体４０がコンテンツ再生装置３０へ装着されるか、無線ＩＣ４１とリライト装置３１の無線通信が可能になると以下の動作が行われる。
【００３８】
符号１００はここでの開始ステップである。続いて符号１０１を付したステップへ進む。
【００３９】
符号１０１は無線ＩＣ４１から無線通信を受信するステップである。続いて符号１０２を付したステップへ進む。
【００４０】
符号１０２は無線ＩＣ４１から無線通信を受信できたか否かを判定するステップである。無線ＩＣ４１から無線通信を受信できたと判定した場合は符号１０３を付したステップへ進む（Ｙｅｓ）。無線ＩＣ４１から無線通信を受信できないと判定した場合は符号１０２を付した処理が繰り返される（Ｎｏ）。
【００４１】
符号１０３は無線ＩＣ４１へ保存されているコンテンツ関連データを要求するステップである。続いて符号１０４を付したステップへ進む。
【００４２】
符号１０４は無線ＩＣ４１内の情報（保存データ：コンテンツ関連データ）を無線（ワイヤレス）で受信するステップである。続いて符号１０５を付したステップへ進む。
【００４３】
符号１０５は受信したデータを表示用に加工し、表示装置２０または表示部３３へ向けて出力するステップである。続いて符号１０６を付したステップへ進む。
【００４４】
符号１０６は表示用に加工された無線ＩＣに保存されていたデータを受信し、表示装置２０または表示部３３へ表示するステップである。続いて符号１０７を付したステップへ進む。
【００４５】
符号１０７は終了ステップであり、ここでの処理は終了する。
【００４６】
すなわち、この発明の実施の形態においては、コンテンツ再生装置３０のリライト装置３１において無線ＩＣ４１との通信を行い、無線ＩＣ４１に保存されたコンテンツ関連データを加工し、表示するようにしている。
【００４７】
このように構成することによって、記録媒体と実質的に一体に設けられたコンテンツ関連データ記憶手段（例えばICチップ）からの情報取得が容易なコンテンツ再生装置を提供することが可能となる。
【００４８】
また、このように構成することによって、リライト装置３１のコンテンツ再生装置３０内における配置に関し、リライト装置３１と無線ＩＣ４１が無線通信可能な範囲のどこでも配置することができる。
【００４９】
図９はこの発明の実施の形態を示すもので、記憶メディアと実質的に一体に設けられるコンテンツ関連データ記憶手段（無線ＩＣ）に保存されたコンテンツ関連データをリモコン等の制御によって書換える動作を示すフローチャートである。
【００５０】
ここでは、ユーザがリモコン１０を操作し、無線ＩＣ４１に保存されたコンテンツ関連データの書換を指示すると以下の動作が行われる。
【００５１】
符号２００はここでの開始ステップである。続いて符号２０１を付したステップへ進む。
【００５２】
符号２０１はリモコン信号受信部３５がリモコン１０から送信されたデータ書換信号を受信するステップである。続いて符号２０２を付したステップへ進む。
【００５３】
符号２０２はデータ書換信号をリライト装置３１へ送信するステップである。続いて符号２０３を付したステップへ進む。
【００５４】
符号２０３はリライト装置３１がデータ書換信号を受信するステップである。続いて符号２０４を付したステップへ進む。
【００５５】
符号２０４は無線ＩＣ４１へ保存されていたデータの書換を指示するステップである。続いて符号２０５を付したステップへ進む。
【００５６】
符号２０５は無線ＩＣ４１へ書換データを無線（ワイヤレス）で送信するステップである。続いて符号２０６を付したステップへ進む。
【００５７】
符号２０６は無線ＩＣ４１の保存データの書換を実行するステップである。続いて符号２０７を付したステップへ進む。
【００５８】
符号２０７は、データ書換は終了したか否かを判定するステップである。データ書換は終了したと判定した場合は符号２０８を付したステップへ進む（Ｙｅｓ）。データ書換は終了しないと判定した場合は符号２０４を付したステップへ進み上記処理が繰り返される（Ｎｏ）。
【００５９】
符号２０８は終了ステップであり、ここでの処理は終了する。
【００６０】
すなわち、この発明の実施の形態においては、ユーザ操作によってコンテンツ再生装置３０のリライト装置３１を制御し、無線ＩＣ４１との通信を行い、無線ＩＣ４１に保存されたコンテンツ関連データの書換をするようにしている。
【００６１】
このように構成することによって、記録媒体と実質的に一体に設けられたコンテンツ関連データ記憶手段（例えばICチップ）内のコンテンツ関連データの書換が容易なコンテンツ再生装置を提供することが可能となる。
【００６２】
この書換が行われたコンテンツ関連データは図８を用いて説明したコンテンツ関連データと同様に、コンテンツ再生装置３０のリライト装置３１において無線ＩＣ４１との通信を行い、無線ＩＣ４１に保存されたコンテンツ関連データを加工し、表示することが可能である。
【００６３】
なお、この発明は上記した実施の形態そのままに限定されるものではなく、実施段階ではその趣旨を逸脱しない範囲で構成要素を種々変形して具体化することができる。
【図面の簡単な説明】
【００６４】
【図１】この発明の実施の形態を示すもので、コンテンツ再生装置の概略を示す図。
【図２】この発明の実施の形態を示すもので、コンテンツ再生装置に装着される記憶媒体の概略を示す図。
【図３】この発明の実施の形態を示すもので、コンテンツ関連データが表示部または表示装置に表示されるようすを示す図。
【図４】この発明の、他の実施の形態を示すもので、コンテンツ再生装置の概略を示す図。
【図５】この発明の実施の形態を示すもので、コンテンツ再生装置および表示装置の構成を説明するブロック図。
【図６】この発明の実施の形態を示すもので、コンテンツ関連データ記憶手段（無線ＩＣ）の構成を説明する図。
【図７】この発明の実施の形態を示すもので、コンテンツ関連データ出力手段（リライト装置）の構成を説明する図。
【図８】この発明の実施の形態を示すもので、コンテンツ関連データ出力手段（リライト装置）内のコントローラの主な制御動作を示すフローチャート。
【図９】この発明の実施の形態を示すもので、記憶メディアと実質的に一体に設けられるコンテンツ関連データ記憶手段（無線ＩＣ）に保存されたコンテンツ関連データをリモコン等の制御によって書換える動作を示すフローチャート。
【符号の説明】
【００６５】
１０…リモコン、２０…ディスプレー（表示装置）、３０…コンテンツ再生装置、３１…リライト装置（コンテンツ関連データ読取書込手段）、３２…記憶媒体保持部、３３…表示部、３４…ＣＰＵ（コンテンツ関連データ取得手段）、３５…リモコン信号受信部（データ書換信号受信手段）、４０…記憶媒体、４１…無線ＩＣ（コンテンツ関連データ記憶手段）。
【図１】
2005310334.tif 000003
【図２】
2005310334.tif 000004
【図３】
2005310334.tif 000005
【図４】
2005310334.tif 000006
【図５】
2005310334.tif 000007
【図６】
2005310334.tif 000008
【図７】
2005310334.tif 000009
【図８】
2005310334.tif 000010
【図９】
2005310334.tif 000011